(57)【要約】【課題】小型かつ簡素な構成によりバッテリモジュール及び接続部材の誤組を確実に防止できるバッテリパックを提供する。【解決手段】内方へ突出するケース側干渉部３１を有するケース３と、ケース３の開口３０を覆うカバーと、ケース３に第一配置状態で収容され、ケース３が位置する外方に向かって突出するモジュール側干渉部９２を有する複数のバッテリモジュール４と、バッテリモジュール４の所定の端子に対して電気的に接続されるとともに第三干渉部８７を有する接続部材８と、を備え、バッテリモジュール４を第一配置状態とは異なる第二配置状態でケース３に収容しようとした場合にケース側干渉部３１とモジュール側干渉部９２とが干渉し、接続部材８を所定の端子とは異なる他の端子に接続しようとした場合にケース側干渉部３１と第三干渉部８７とが干渉する。【選択図】図２
2020177857.tif 000002
【特許請求の範囲】
【請求項１】
内方へ突出する第一干渉部を有するケースと、
前記ケースの開口を覆うカバーと、
前記ケースに第一配置状態で収容され、前記ケースが位置する外方に向かって突出する第二干渉部を有する複数のバッテリモジュールと、
前記バッテリモジュールの所定の端子に対して電気的に接続されるとともに第三干渉部を有する接続部材と、
を備え、
前記バッテリモジュールを前記第一配置状態とは異なる第二配置状態で前記ケースに収容しようとした場合に前記第一干渉部と前記第二干渉部とが干渉し、
前記接続部材を前記所定の端子とは異なる他の端子に接続しようとした場合に前記第一干渉部と前記第三干渉部とが干渉することを特徴とするバッテリパック。
【請求項２】
前記バッテリモジュールは、前記ケースの底壁とバッテリモジュール本体との間に設けられ、前記開口側から見た平面視において矩形状に形成された板状部材を有し、
前記板状部材は、面方向に沿って前記外方へ突出して形成される前記第二干渉部を有することを特徴とする請求項１に記載のバッテリパック。
【請求項３】
前記バッテリモジュールは、複数の矩形板状のバッテリセルが対向して並ぶ第一方向に積層されることにより形成され、
前記第二干渉部は、前記板状部材の前記第一方向における両端部に設けられ、前記第一方向にそれぞれ突出するとともに、前記第一方向に直交し複数の前記バッテリモジュールが並ぶ第二方向において、前記板状部材の中間部からずれた位置に配置されていることを特徴とする請求項２に記載のバッテリパック。
【請求項４】
前記第一干渉部は、前記バッテリモジュールに対して前記第一方向の一方側に設けられ、
前記バッテリモジュールは前記第一方向の両端部に前記端子をそれぞれ有し、
前記第二方向に隣り合う２つの前記バッテリモジュールは、前記第一方向の他方側に設けられた前記所定の端子同士が前記接続部材により接続されることを特徴とする請求項３に記載のバッテリパック。
【請求項５】
前記バッテリモジュールは、前記開口側から前記接続部材を組み付け可能な端子台を有し、
前記端子台には前記接続部材が接続される前記端子が形成され、
前記接続部材は、前記端子台よりも前記開口側に配置される本体部と、前記本体部から前記ケース側に向かって突出する前記第三干渉部と、を有し、
前記第一干渉部は、前記ケースの内壁から突出して形成されていることを特徴とする請求項３又は請求項４に記載のバッテリパック。
【請求項６】
前記接続部材は、導電材料により形成されたバスバーと、前記バスバーの少なくとも一部を覆い絶縁材料により形成されたバスバーカバーと、を備え、
前記第三干渉部は、前記バスバーカバーに設けられていることを特徴とする請求項１から請求項５のいずれか１項に記載のバッテリパック。
【請求項７】
前記ケースは金属ダイキャストであり、
前記第一干渉部は前記ケースと一体形成されていることを特徴とする請求項１から請求項６のいずれか１項に記載のバッテリパック。
【請求項８】
前記ケースは複数の前記第一干渉部を有し、
複数の前記第一干渉部のうち少なくともひとつの内部には、前記ケースの外壁から前記内方に向かって形成されたボルト孔が設けられ、
前記ボルト孔に固定されたボルトにより電装部品が取り付けられることを特徴とする請求項１から請求項７のいずれか１項に記載のバッテリパック。
【発明の詳細な説明】
【技術分野】
【０００１】
本発明は、バッテリパックに関するものである。
【背景技術】
【０００２】
従来、ハイブリッド自動車等の車両に搭載される蓄電装置において、ケース内に収容された複数のバッテリモジュールを備えたバッテリパックの構成が知られている。これらのバッテリパックでは、各バッテリモジュールやバッテリモジュール同士を電気的に接続するための接続部材が誤った状態で取り付けられる（以下、「誤組」という。）のを防ぐための技術が種々提案されている。
【０００３】
例えば特許文献１には、複数の蓄電モジュール（バッテリモジュール）を並置し、相互に隣接するバッテリモジュールの端子同士をバスバー（接続部材）で接続した蓄電装置であって、接続部材は、バッテリモジュールの一端側に設けられるロング蓄電モジュールバスバーと、バッテリモジュールの他端側に設けられるショート蓄電モジュールバスバーと、バッテリモジュール端子を被覆する絶縁性のカバーと、を有する構成が開示されている。特許文献１に記載の技術によれば、長さの異なるロング蓄電モジュールバスバー及びショート蓄電モジュールバスバーを取り違えて組み付けようとしても、組み付けが不能であるために誤組を未然に防止できるとされている。また、一端側及び他端側のカバーは相互に異なる形状で構成されるので、ロング蓄電モジュールバスバー及びショート蓄電モジュールバスバーの誤組を一層確実に防止することができるとされている。
【先行技術文献】
【特許文献】
【０００４】
【特許文献１】特開２０１４−９３２７６号公報
【発明の概要】
【発明が解決しようとする課題】
【０００５】
このように、特許文献１に記載の技術にあっては、誤った箇所に接続部材を取り付けようとした場合、構造的に接続部材が取り付け不能となるように構成されているので、作業者が目視により誤組の有無を確認する従来の方法と比較して、作業者に依らず誤組を抑制できる。
しかしながら、特許文献１に記載の技術にあっては、誤組を防止するためのカバー等が設けられることにより、複数のバッテリモジュールからなるバッテリモジュール群が大型化しやすい。よって、従来よりもバッテリモジュールを小型化する点で課題があった。また、構造の簡素化及び部品点数の削減という点においても改善の余地があった。
【０００６】
そこで、本発明は、小型かつ簡素な構成によりバッテリモジュール及び接続部材の誤組を確実に防止できるバッテリパックを提供することを目的とする。
【課題を解決するための手段】
【０００７】
上記の課題を解決するため、請求項１に記載の発明に係るバッテリパック（例えば、実施形態におけるバッテリパック１）は、内方へ突出する第一干渉部（例えば、実施形態におけるケース側干渉部３１）を有するケース（例えば、実施形態におけるケース３）と、前記ケースの開口（例えば、実施形態における開口３０）を覆うカバー（例えば、実施形態におけるカバー５）と、前記ケースに第一配置状態で収容され、前記ケースが位置する外方に向かって突出する第二干渉部（例えば、実施形態におけるモジュール側干渉部９２）を有する複数のバッテリモジュール（例えば、実施形態におけるバッテリモジュール４）と、前記バッテリモジュールの所定の端子（例えば、実施形態における端子９５）に対して電気的に接続されるとともに第三干渉部（例えば、実施形態における第三干渉部８７）を有する接続部材（例えば、実施形態における接続部材８）と、を備え、前記バッテリモジュールを前記第一配置状態とは異なる第二配置状態で前記ケースに収容しようとした場合に前記第一干渉部と前記第二干渉部とが干渉し、前記接続部材を前記所定の端子とは異なる他の端子に接続しようとした場合に前記第一干渉部と前記第三干渉部とが干渉することを特徴としている。
【０００８】
また、請求項２に記載の発明に係るバッテリパックは、前記バッテリモジュールは、前記ケースの底壁（例えば、実施形態における底壁３７）とバッテリモジュール本体（例えば、実施形態におけるバッテリモジュール本体７０）との間に設けられ、前記開口側から見た平面視において矩形状に形成された板状部材（例えば、実施形態におけるロアプレート７８）を有し、前記板状部材は、面方向に沿って前記外方へ突出して形成される前記第二干渉部を有することを特徴としている。
【０００９】
また、請求項３に記載の発明に係るバッテリパックは、前記バッテリモジュールは、複数の矩形板状のバッテリセル（例えば、実施形態におけるバッテリセル７１）が対向して並ぶ第一方向（例えば、実施形態における第一方向Ｄ１）に積層されることにより形成され、前記第二干渉部は、前記板状部材の前記第一方向における両端部に設けられ、前記第一方向にそれぞれ突出するとともに、前記第一方向に直交し複数の前記バッテリモジュールが並ぶ第二方向（例えば、実施形態における第二方向Ｄ２）において、前記板状部材の中間部からずれた位置に配置されていることを特徴としている。
【００１０】
また、請求項４に記載の発明に係るバッテリパックは、前記第一干渉部は、前記バッテリモジュールに対して前記第一方向の一方側に設けられ、前記バッテリモジュールは前記第一方向の両端部に前記端子をそれぞれ有し、前記第二方向に隣り合う２つの前記バッテリモジュールは、前記第一方向の他方側に設けられた前記所定の端子同士が前記接続部材により接続されることを特徴としている。
【００１１】
また、請求項５に記載の発明に係るバッテリパックは、前記バッテリモジュールは、前記開口側から前記接続部材を組み付け可能な端子台（例えば、実施形態における端子台９０）を有し、前記端子台には前記接続部材が接続される前記端子が形成され、前記接続部材は、前記端子台よりも前記開口側に配置される本体部（例えば、実施形態における本体部８６）と、前記本体部から前記ケース側に向かって突出する前記第三干渉部と、を有し、前記第一干渉部は、前記ケースの内壁から突出して形成されていることを特徴としている。
【００１２】
また、請求項６に記載の発明に係るバッテリパックは、前記接続部材は、導電材料により形成されたバスバー（例えば、実施形態におけるバスバー８８）と、前記バスバーの少なくとも一部を覆い絶縁材料により形成されたバスバーカバー（例えば、実施形態におけるバスバーカバー８９）と、を備え、前記第三干渉部は、前記バスバーカバーに設けられていることを特徴としている。
【００１３】
また、請求項７に記載の発明に係るバッテリパックは、前記ケースは金属ダイキャストであり、前記第一干渉部は前記ケースと一体形成されていることを特徴としている。
【００１４】
また、請求項８に記載の発明に係るバッテリパックは、前記ケースは複数の前記第一干渉部を有し、複数の前記第一干渉部のうち少なくともひとつの内部には、前記ケースの外壁（例えば、実施形態における外壁３９）から前記内方に向かって形成されたボルト孔（例えば、実施形態におけるボルト孔１５）が設けられ、前記ボルト孔に固定されたボルト（例えば、実施形態におけるボルト１６）により電装部品（例えば、実施形態における電装部品６１）が取り付けられることを特徴としている。
【発明の効果】
【００１５】
本発明の請求項１に記載のバッテリパックによれば、ケースは第一干渉部を有し、バッテリモジュールは第二干渉部を有し、バッテリモジュールを第一配置状態とは異なる第二配置状態でケースに収容しようとした場合に第一干渉部と第二干渉部とが干渉する。この構成によれば、ケースに対してバッテリモジュールを誤って第二配置状態で組み付けようとしても組み付けが不能となるため、バッテリモジュールの誤組を防止できる。また、接続部材は第三干渉部を有し、接続部材を所定の端子とは異なる他の端子に接続しようとした場合に第一干渉部と第三干渉部とが干渉する。この構成によれば、ケースに対して接続部材を誤って他の端子に組み付けようとしても組み付けが不能となるため、接続部材の誤組を防止できる。
ケースと、バッテリモジュールと、接続部材と、にそれぞれ第一干渉部と、第二干渉部と、第三干渉部と、が設けられることによりバッテリモジュール及び接続部材の誤組が防止されるので、別途カバー部材等を設けることにより誤組を防止する従来技術と比較して、バッテリパックの構成を簡素化し、部品点数を削減できる。これにより、バッテリパックを軽量化するとともに、ケース内におけるバッテリパックの占める割合を向上し、ケース内の空間を有効に使うことができる。
したがって、小型かつ簡素な構成によりバッテリモジュール及び接続部材の誤組を確実に防止できるバッテリパックを提供できる。
【００１６】
本発明の請求項２に記載のバッテリパックによれば、バッテリモジュールは、ケースの底壁とバッテリモジュール本体との間に設けられる板状部材を有するので、例えば板状部材を介してケースの底壁にバッテリモジュールを固定することができる。また、第二干渉部はこの板状部材の面方向に沿って形成されるので、板状部材がバッテリモジュールの固定と第二干渉部との２つの役割を兼ねることができる。よって、バッテリモジュールの部品点数を削減できる。また、バッテリモジュールは、ケースの底壁とバッテリモジュール本体との間に設けられるので、第二干渉部をケースの底壁に近接して配置できる。したがって、ケースの開口側に空間を確保し、この空間に接続部材等の部品を配置することができる。よって、ケース内の空間を有効に使用し、ケース内におけるバッテリパックの占める割合を向上できる。
【００１７】
本発明の請求項３に記載のバッテリパックによれば、第二干渉部は、板状部材の第一方向における両端部に設けられるとともに、第二方向において板状部材の中間部からずれた位置に配置されているので、例えばバッテリパックを第一配置状態から平面視で１８０°反転させた状態（第二配置状態）で配置しようとすると、ケースに対する第二干渉部の位置が変化する。この構成によれば、ケースに対してバッテリパックを第二配置状態で配置するのを確実に防止できる。よって、簡素な構成によりバッテリモジュールの誤組を確実に防止したバッテリパックとすることができる。
【００１８】
本発明の請求項４に記載のバッテリパックによれば、第一干渉部はバッテリモジュールの第一方向における一方側に設けられ、接続部材はバッテリモジュールの第一方向における他方側に配置されているので、例えば接続部材をバッテリモジュールの第一方向における一方側に誤って配置しようとした場合、接続部材の第三干渉部と第一干渉部とが干渉する。これにより、接続部材の組み付けが不能となるので、接続部材の誤組を確実に防止できる。
【００１９】
本発明の請求項５に記載のバッテリパックによれば、接続部材は、本体部と第三干渉部とを有し、本体部は端子台に対してケースの開口側に配置されているので、端子台に対する開口側の空間を有効に使用し、バッテリパックが第一方向及び第二方向に大型化するのを抑制できる。また、第三干渉部は本体部からケース側に向かって突出し、第一干渉部はケースの内壁から突出しているので、接続部材を誤って配置しようとした場合に、第三干渉部と第一干渉部とを確実に干渉させることができる。よって、接続部材の誤組を確実に防止したバッテリパックとすることができる。
【００２０】
本発明の請求項６に記載のバッテリパックによれば、第三干渉部はバスバーカバーに設けられているので、例えば接続部材を誤って配置しようとした場合に、第一干渉部とバスバーとが直接干渉するのを抑制できる。これにより、バスバーが第一干渉部に干渉することによるバスバーの損傷を抑制できる。よって、バスバーの性能低下を抑制し、バッテリパックの安全性を高く維持できる。
特に、第一干渉部を有するケースが金属材料により形成された場合、絶縁材料により形成されたバスバーカバーに第三干渉部が設けられることにより、第一干渉部と第三干渉部とが干渉した際のケースと接続部材との絶縁を確保できる。よって、安全性を向上したバッテリパックとすることができる。
【００２１】
本発明の請求項７に記載のバッテリパックによれば、ケースは金属ダイキャストで形成されているので、第一干渉部とケースとを一体形成できる。よって、バッテリパックの製造を容易にするとともに部品点数を削減できる。特に、第三干渉部が絶縁材料により形成された場合、ケースの第一干渉部と第三干渉部との絶縁を確保しつつ製造を容易にできる。
【００２２】
本発明の請求項８に記載のバッテリパックによれば、ケースの外壁にはボルト孔が形成されているので、このボルト孔に挿入されたボルトを介して、例えばハーネス等の電装部品をケース外壁に取り付けることができる。さらに、このボルト孔を形成する際にケース内壁に突出する部分（いわゆる「ボス」）を第一干渉部とすることができる。これにより、第一干渉部とボルト孔との機能を統合できる。
【図面の簡単な説明】
【００２３】
【図１】実施形態に係る蓄電装置の分解図。
【図２】実施形態に係るバッテリパックの平面図。
【図３】図２のＩＩＩ部拡大図。
【図４】図３のＩＶ−ＩＶ線に沿う断面図。
【図５】図２のＶ矢視図。
【図６】図２のＶＩ部拡大図。
【図７】実施形態に係るバッテリモジュールの斜視図。
【図８】実施形態に係るバッテリモジュールの分解図。
【図９】実施形態に係るバッテリモジュールの平面図。
【図１０】実施形態に係る接続部材の斜視図。
【図１１】図２のＸＩ部拡大図。
【図１２】図１１のＸＩＩ矢視図。
【図１３】図６のＸＩＩＩ矢視図。
【発明を実施するための形態】
【００２４】
以下、本発明の実施形態について図面を参照して説明する。
【００２５】
（実施形態）
（蓄電装置）
図１は、実施形態に係る蓄電装置１０の分解図である。
蓄電装置１０は、電気自動車やハイブリッド自動車等の車両に搭載され、車両の電源として使用されている。
蓄電装置１０は、第一バッテリパック１と、第二バッテリパック２と、を備える。第一バッテリパック１及び第二バッテリパック２は、複数のバッテリセル７１（図８参照）が積層されて形成されるバッテリモジュール４，２４をそれぞれ備える。さらに、詳細は後述するが、第一バッテリパック１は、バッテリセル７１の積層方向と直交する方向に複数並んで配置されている。
以下の説明において第一バッテリパック１内に収容されたバッテリモジュール４におけるバッテリセル７１の積層方向に沿う方向を第一方向Ｄ１といい、第一方向Ｄ１に直交し複数のバッテリモジュール４が並ぶ方向を第二方向Ｄ２といい、第一方向Ｄ１及び第二方向Ｄ２に直交する方向を第三方向Ｄ３という。また、第一バッテリパック１を単にバッテリパック１ということがある。
【００２６】
（バッテリパック）
バッテリパック１（第一バッテリパック１）は、ケース３と、複数のバッテリモジュール４と、接続部材８と、カバー５と、を備える。
【００２７】
（ケース）
ケース３は、長方形状の底壁３７と、底壁３７の４つの辺から第三方向Ｄ３の一方側に向かって起立する第一側壁３８ａ，第二側壁３８ｂ，第三側壁３８ｃ，第四側壁３８ｄと、各側壁３８ａ，３８ｂ，３８ｃ，３８ｄのうち底壁３７と反対側の端部に設けられた開口３０と、を有する箱状に形成されている。第一側壁３８ａは、第一方向Ｄ１に面しており、第一方向Ｄ１の一方側に配置されている。第二側壁３８ｂは、第一側壁３８ａと対向し、第一方向Ｄ１の他方側に配置されている。第三側壁３８ｃは、第二方向Ｄ２に面しており、第二方向Ｄ２の一方側に配置されている。第四側壁３８ｄは、第三側壁３８ｃと対向し、第二方向Ｄ２の他方側に配置されている。ケース３は、例えばアルミダイキャストにより形成されている。
図２は、実施形態に係るバッテリパック１の第三方向Ｄ３の一方側から見た平面図である。図２では説明のためカバー５の図示を省略している。
ケース３は、複数（本実施形態では４個）のケース側干渉部３１（請求項の第一干渉部）を有する。各ケース側干渉部３１は、ケース３の第一側壁３８ａからケース３の内方へ向かって突出している。ケース側干渉部３１はケース３と一体形成されている。４個のケース側干渉部３１は、それぞれ第二方向Ｄ２の一方側から他方側に向かって順に、第一ケース側干渉部３２、第二ケース側干渉部３３、第三ケース側干渉部３４及び第四ケース側干渉部３５とされている。
【００２８】
図３は、図２のＩＩＩ部拡大図である。図４は、図３のＩＶ−ＩＶ線に沿う断面図である。図５は、図２のＶ矢視図である。
図３に示すように、第一ケース側干渉部３２は、第三方向Ｄ３の一方側から見た平面視においてケース３の内方に凸となる半円形状に形成されている。図４に示すように、第一ケース側干渉部３２の内部には、ボルト孔１５が形成されている。ボルト孔１５はケース３の外壁３９から内方に向かって形成されている。換言すれば、ボルト孔１５を形成する際にケース３の内方に突出するボス１４が第一ケース側干渉部３２とされている。ボルト孔１５にはボルト１６が固定されている。ケース３の外壁３９には、ボルト孔１５に固定されたボルト１６を介して電装部品６１が取り付けられている。電装部品６１は、例えばハーネス６４（図５も参照）である。本実施形態では、ケース３の外壁３９にボルト１６を介してハーネスステー６３が取り付けられ、ハーネスステー６３にハーネス６４が保持されることにより、ケース３の外壁３９にハーネス６４が取り付けられている。
【００２９】
図２に示すように、第二ケース側干渉部３３は、平面視においてケース３の内方に凸となる半円形状に形成されている。
図６は、図２のＶＩ部拡大図である。
第三ケース側干渉部３４は、平面視においてケース３の内方に凸となるとともに、第二ケース側干渉部３３よりも第二方向Ｄ２に沿う幅寸法が小さい細長形状に形成されている。
第四ケース側干渉部３５の形状は、第二ケース側干渉部３３の形状と同じとされている。
【００３０】
（バッテリモジュール）
図２に戻って、バッテリモジュール４は、ケース３に収容されている。バッテリモジュール４は、第一方向を長手方向とする直方体形状に形成されている。バッテリモジュール４は複数設けられている。複数のバッテリモジュール４はいずれも同等の構成とされ、ケース３に収容される際の配置がそれぞれ異なる。
【００３１】
図７は、実施形態に係るバッテリモジュール４の斜視図である。図８は、実施形態に係るバッテリモジュール４の分解図である。図９は、実施形態に係るバッテリモジュール４の平面図である。なお、ケース３に収容された複数のバッテリモジュール４の構成はいずれも同等の構成とされているので、以下の説明では単一のバッテリモジュール４について説明する。
図８に示すように、バッテリモジュール４は、複数のバッテリセル７１が積層されることにより形成されている。具体的に、バッテリモジュール４は、バッテリモジュール本体７０（図７参照）と、ロアプレート７８（請求項の板状部材）と、を有する。
【００３２】
バッテリモジュール本体７０は、バッテリセル７１と、セパレータ７２と、エンドセパレータ７３と、エンドプレート７４と、バインドバー７５と、バスバープレート７６と、トップカバー７７と、を有する。
バッテリモジュール本体７０は、まず、矩形板状に形成されるとともに主面が互いに対向して並ぶ１６個のバッテリセル７１と、各バッテリセル７１間に配置されるとともに合成樹脂で構成された矩形板状の１５個のセパレータ７２と、が交互に重ね合わされて積層され、両端の２個のバッテリセル７１，７１の外側に合成樹脂で構成された一対の矩形板状のエンドセパレータ７３，７３が重ね合わされ、更にその外側に一対の金属製のエンドプレート７４，７４が重ね合わされている。１６個のバッテリセル７１は互換可能な同一形状の部材であり、一対のエンドセパレータ７３，７３は１５個のセパレータ７２とは形状が異なる部材である。
【００３３】
バッテリセル７１、セパレータ７２、エンドセパレータ７３及びエンドプレート７４を積層した状態で、第二方向Ｄ２の両端からバインドバー７５で覆うとともに、エンドプレート７４とバインドバー７５とが締結されることにより、バッテリセル７１、セパレータ７２、エンドセパレータ７３及びエンドプレート７４が固定される。具体的に、バインドバー７５の第一方向Ｄ１両端部からエンドプレート７４の面方向に沿って内側に延びる締結部７５ａと、エンドプレート７４と、が第一方向Ｄ１に重ね合わされて締結されている。
このとき、バッテリセル７１、セパレータ７２及びバインドバー７５との間には、結露水によってバッテリセル７１とバインドバー７５とが液絡するのを防止するための合成樹脂製のインシュレータ７９が配置されている。
【００３４】
次に、積層されたバッテリセル７１及びセパレータ７２の第三方向Ｄ３における一方側にバスバープレート７６が装着される。バスバープレート７６によって１６個のバッテリセル７１の電極が電気的に直列に接続される。バスバープレート７６の第一方向Ｄ１の両端部には、一対の端子台９０，９０が接続されている。したがって、一対の端子台９０，９０のうち、一方の端子台９０は高電位側（＋側）となり、他方の端子台９０は低電位側（−側）となる。一対の端子台９０，９０は、第二方向Ｄ２において、ロアプレート７８の中間部から一方側にずれた位置に設けられている（図９も参照）。なお、一対の端子台９０，９０は、第二方向Ｄ２において、ロアプレート７８の中間部から他方側にずれた位置に設けられてもよい。図７に示すように、各端子台９０，９０には端子９５，９５が形成されている。また、各端子台９０，９０には端子９５，９５を閉塞可能な端子台カバー９１，９１が取り付けられている。各端子台カバー９１，９１には、対応する各端子９５，９５がそれぞれ高電位側（＋側）か低電位側（−側）かを識別可能にするマークがそれぞれ刻印表示されている。
トップカバー７７は、バスバープレート７６の一部を覆っている。具体的に、トップカバー７７は、中央部にバスバープレート７６の一部を露出させるための窓を有する枠状に形成されている。トップカバー７７が取り付けられることにより、バッテリモジュール本体７０が組み立てられる。
【００３５】
バッテリモジュール本体７０の第三方向Ｄ３における他方側にはロアプレート７８が装着されている。バッテリモジュール本体７０にロアプレート７８が装着されることにより、バッテリモジュール４が組み立てられる。ロアプレート７８は、バッテリモジュール４がケース３に収容された状態において、ケース３の底壁３７とバッテリモジュール本体７０との間に設けられている。ロアプレート７８は、平面視において矩形状に形成されている。ロアプレート７８は、モジュール側干渉部９２（請求項の第二干渉部）と、ケース固定部９３と、を有する。
モジュール側干渉部９２は、ロアプレート７８の第一方向Ｄ１における両端部に形成されている。モジュール側干渉部９２は、ロアプレート７８の面方向に沿って第一方向Ｄ１の外方へ突出して形成されている。図９に示すように、モジュール側干渉部９２は、第二方向Ｄ２において、ロアプレート７８の中間部からオフセットされた位置に設けられている。具体的に、モジュール側干渉部９２は、第二方向Ｄ２において一対の端子台９０，９０と同じ方向にずれて配置されている。
【００３６】
ケース固定部９３は、平面視においてロアプレート７８の４個の角部にそれぞれ設けられている。ケース固定部９３は、ロアプレート７８を第三方向Ｄ３に貫通する孔である。ケース３の底壁３７には、ケース固定部９３と対応する位置に取付孔（不図示）が設けられ、この取付孔とケース固定部９３とに不図示のボルトを挿通することにより、ケース３にバッテリモジュール４が固定される。
【００３７】
このように形成されたバッテリモジュール４は、図２に示すように、直方体形状の短手方向の側面同士が隣り合うように並んでケース３内に収容される。具体的に、バッテリモジュール４は複数（本実施形態では４個）設けられている。４個のバッテリモジュール４は、それぞれ第二方向Ｄ２の一方側から他方側に向かって順に、第一バッテリモジュール４１、第二バッテリモジュール４２、第三バッテリモジュール４３及び第四バッテリモジュール４４とされている。４個のバッテリモジュール４は、端子台９０の高電位側（＋側）と低電位側（−側）との位置が第一方向Ｄ１の一方側及び他方側において交互になるように並んでいる。各バッテリモジュール４がケース３に収容された状態において、バッテリモジュール４に対して第一方向の一方側にケース側干渉部３１が設けられている。また、この状態においてモジュール側干渉部９２はケース３が位置する外方に向かって突出している。
【００３８】
第一バッテリモジュール４１は、第一方向Ｄ１から見て第一ケース側干渉部３２と重なる位置に配置されている（図３も参照）。第一バッテリモジュール４１は、第一方向Ｄ１の第一ケース側干渉部３２側に低電位側（−側）の端子台９０が位置するように配置されている。このとき、端子台９０及びモジュール側干渉部９２は、第一バッテリモジュール４１の第二方向Ｄ２における中間部よりも第三側壁３８ｃ側に位置している。第一ケース側干渉部３２は、第一バッテリモジュール４１の中間部よりも第二バッテリモジュール４２側に位置している。このように配置された状態を、第一バッテリモジュール４１の第一配置状態と定義する。第一配置状態とは、設計者の意図に準じた正しい配置である。したがって、第一バッテリモジュール４１の第一配置状態において、第一バッテリモジュール４１のモジュール側干渉部９２と第一ケース側干渉部３２とは干渉せず、ケース３に対して第一バッテリモジュール４１の組み付けが可能とされている。
【００３９】
第二バッテリモジュール４２は、第一方向Ｄ１から見て第二ケース側干渉部３３と重なる位置に配置されている。第二バッテリモジュール４２は、第一方向Ｄ１の第二ケース側干渉部３３側に高電位側（＋側）の端子台９０が位置するように配置されている。このとき、端子台９０及びモジュール側干渉部９２は、第二バッテリモジュール４２の第二方向Ｄ２における中間部よりも第一バッテリモジュール４１側に位置している。第二ケース側干渉部３３は、第二バッテリモジュール４２の中間部よりも第三バッテリモジュール４３側に位置している。このように配置された状態を、第二バッテリモジュール４２の第一配置状態と定義する。したがって、第二バッテリモジュール４２の第一配置状態において、第二バッテリモジュール４２のモジュール側干渉部９２と第二ケース側干渉部３３とは干渉せず、ケース３に対して第二バッテリモジュール４２の組み付けが可能とされている。
【００４０】
第三バッテリモジュール４３は、第一方向Ｄ１から見て第三ケース側干渉部３４と重なる位置に配置されている（図６も参照）。第三バッテリモジュール４３は、第一方向Ｄ１の第三ケース側干渉部３４側に低電位側（−側）の端子台９０が位置するように配置されている。第三バッテリモジュール４３における端子台９０、モジュール側干渉部９２及び第三ケース側干渉部３４の位置関係は、第一バッテリモジュール４１における端子台９０、モジュール側干渉部９２及び第一ケース側干渉部３２の位置関係と同等とされている。第三バッテリモジュール４３の第一配置状態において、第三バッテリモジュール４３のモジュール側干渉部９２と第三ケース側干渉部３４とは干渉せず、ケース３に対して第三バッテリモジュール４３の組み付けが可能とされている。
第三バッテリモジュール４３と第二バッテリモジュール４２との間には、ジャンクションボード６６が設けられている。ジャンクションボード６６には、例えば第三バッテリモジュール４３及び第二バッテリモジュール４２間を接続する中央バスバー８３や、バッテリモジュール４の状態を検知するセンサ等（不図示）が配置されている。
【００４１】
第四バッテリモジュール４４は、第一方向Ｄ１から見て第四ケース側干渉部３５と重なる位置に配置されている（図６も参照）。第四バッテリモジュール４４は、第一方向Ｄ１の第四ケース側干渉部３５側に高電位側（＋側）の端子台９０が位置するように配置されている。第四バッテリモジュール４４における端子台９０、モジュール側干渉部９２及び第四ケース側干渉部３５の位置関係は、第二バッテリモジュール４２における端子台９０、モジュール側干渉部９２及び第二ケース側干渉部３３の位置関係と同等とされている。第四バッテリモジュール４４の第一配置状態において、第四バッテリモジュール４４のモジュール側干渉部９２と第四ケース側干渉部３５とは干渉せず、ケース３に対して第四バッテリモジュール４４の組み付けが可能とされている。
【００４２】
このように配置された第一バッテリモジュール４１、第二バッテリモジュール４２、第三バッテリモジュール４３及び第四バッテリモジュール４４は、第一配置状態でケース３に収容しようとした場合にケース側干渉部３１とモジュール側干渉部９２とが干渉せず、第一配置状態とは異なる第二配置状態でケース３に収容しようとした場合にケース側干渉部３１とモジュール側干渉部９２とが干渉する。ここで第二配置状態とは、例えば平面視において端子台９０の高電位側（＋側）と低電位側（−側）とが入れ替わるようにバッテリモジュール４を１８０°反転して配置した状態を指す。第二配置状態においては、モジュール側干渉部９２及びケース側干渉部３１がバッテリモジュール４の中間部に対して同一方向に位置する。これにより、バッテリモジュール４は第二配置状態においてモジュール側干渉部９２とケース側干渉部３１とが干渉することでケース３に組み付け不能とされている。
【００４３】
（接続部材）
接続部材８は、バッテリモジュール４の第一方向Ｄ１におけるケース側干渉部３１とは反対側に位置する端子９５（図７参照）において、所定の端子９５同士を電気的に接続している。具体的に、接続部材８は、第一接続部材８１と、第二接続部材８２と、を有する。
第一接続部材８１は、第一バッテリモジュール４１の高電位側（＋側）の端子９５と、第二バッテリモジュール４２の低電位側（−側）の端子９５と、を接続している。
第二接続部材８２は、第三バッテリモジュール４３の高電位側（＋側）の端子９５と、第四バッテリモジュール４４の低電位側（−側）の端子９５と、を接続している。
第一接続部材８１及び第二接続部材８２は同等の構成とされている。
【００４４】
図１０は、実施形態に係る接続部材８の斜視図である。図１１は、図２のＸＩ部拡大図である。図１２は、実施形態に係る接続部材８の取付状態を示す斜視図（図１１のＸＩＩ矢視図）である。
図１０に示すように、接続部材８は、本体部８６と、第三干渉部８７と、を有する。
本体部８６は帯状に形成されている。本体部８６は、バッテリモジュール４の端子台９０よりもケース３の開口３０側に配置されている（図１２も参照）。本体部８６は、凹状部８６ａと、凸状部８６ｂと、延在部８６ｃと、を有する。
凹状部８６ａは、接続部材８がバッテリモジュール４に取り付けられた取付状態において、ケース３の底壁３７側に凹んでいる。
凸状部８６ｂ，８６ｂは、凹状部８６ａの長手方向の両端部に接続され、ケース３の開口３０側に凸となるように形成されている。
延在部８６ｃ，８６ｃは、各凸状部８６ｂ，８６ｂの端部から長手方向の外側に向かって延びている。延在部８６ｃの先端部には接続孔１８が形成されている。接続孔１８は、延在部８６ｃを厚み方向に貫通している。接続孔１８にバッテリモジュール４の端子９５が装着されることにより、端子９５と接続部材８とが接続されている。
【００４５】
本体部８６は、バスバー８８と、バスバーカバー８９と、を備える。
バスバー８８は、金属等の導電材料により形成されている。バスバー８８は、例えば銅等の板金にプレス加工を施すことにより形成されている。
バスバーカバー８９は、絶縁材料により形成され、バスバー８８の一部を覆っている。具体的に、バスバーカバー８９は、延在部８６ｃにおける接続孔１８近傍の領域を除くバスバー８８のほぼ全体を覆っている。換言すれば、延在部８６ｃにおける接続孔１８近傍の領域において、バスバー８８は外部に露出している。図１２に示すように、接続部材８がバッテリモジュール４の端子９５に接続された状態において、バスバー８８は端子台カバー９１により覆われている。これにより、取付状態において導電性のバスバー８８が外部に露出するのを抑制し、他部品と接触した場合の他部品及びバスバー８８間の絶縁が確保されている。
【００４６】
第三干渉部８７は、取付状態において高電位側（＋側）の凸状部８６ｂから第一方向Ｄ１のケース３側に向かって突出している。第三干渉部８７は、本体部８６のバスバーカバー８９と一体に設けられている。すなわち、第三干渉部８７は絶縁材料により形成されている。図２及び図１１に示すように、接続部材８がバッテリモジュール４における所定の端子９５に接続された場合（すなわち、設計者の意図に沿った配置で接続された場合）、第三干渉部８７とケース側干渉部３１とは干渉しない。
ここで、図１３は、実施形態に係るケース側干渉部３１と第三干渉部８７との関係を示す斜視図（図６のＸＩＩＩ矢視図）である。
仮に作業者が接続部材８を所定の端子９５とは異なる他の端子９５（第一方向Ｄ１のケース側干渉部３１側に位置する端子９５）に接続しようとした場合、接続部材８の第三干渉部８７がケース３のケース側干渉部３１に干渉する。これにより、接続部材８は所定の端子９５とは異なる他の端子９５への取り付けが不能とされているので、接続部材８の誤組が防止される。
【００４７】
図２に示すように、第二バッテリモジュール４２の高電位側（＋側）の端子９５と、第三バッテリモジュール４３の低電位側（−側）の端子９５と、はジャンクションボード６６に配置された中央バスバー８３により電気的に接続されている。
第一バッテリモジュール４１の低電位側（−側）の端子９５は、第二方向Ｄ２の一方側に配置された側部バスバー８４を介して、第二バッテリパック２の第二のバッテリモジュール２４（図１参照）に接続されている。
第四バッテリモジュール４４の高電位側（＋側）の端子９５は、第二方向Ｄ２の他方側に配置された側部バスバー８４を介して、第二バッテリパック２の第二のバッテリモジュール２４（図１参照）に接続されている。
【００４８】
（カバー）
図１に戻って、カバー５は、ケース３の開口３０を覆っている。カバー５は、不図示のボルト等の締結部材によりケース３に締結固定されている。カバー５の外方を向く面には、第二バッテリパック取付部５１が設けられている。
【００４９】
（第二バッテリパック）
第二バッテリパック２は、第一バッテリパック１（バッテリパック１）の第三方向Ｄ３の一方側に設けられている。第二バッテリパック２の第一方向Ｄ１における長さ寸法は、第一バッテリパック１の第一方向Ｄ１における長さ寸法よりも小さく、第二バッテリパック２の第二方向Ｄ２における長さ寸法は、第一バッテリパック１の第二方向Ｄ２における長さ寸法と同等とされている。
第二バッテリパック２は、第二のケース２２と、第二のバッテリモジュール２４と、第二のカバー２６と、を備える。
【００５０】
第二のケース２２は、カバー５の第二バッテリパック取付部５１に取り付けられている。
第二のバッテリモジュール２４は、第二のケース２２に配置されている。第二のバッテリモジュール２４は複数設けられている。各第二のバッテリモジュール２４の構成は、第一バッテリパック１におけるバッテリモジュール４の構成と同等とされている。なお、第二のバッテリモジュール２４の構成は、第一バッテリパック１におけるバッテリモジュール４の構成と異なっていてもよい。
第二のカバー２６は、第二のケース２２及び第二のバッテリモジュール２４を第三方向Ｄ３の一方側から覆っている。これにより、第二のケース２２と第二のカバー２６とにより囲まれた空間の内部に第二のバッテリモジュール２４が収容されている。
【００５１】
（バッテリパックの作用、効果）
次に、バッテリパック１の作用、効果について説明する。
本実施形態のバッテリパック１によれば、ケース３はケース側干渉部３１を有し、バッテリモジュール４はモジュール側干渉部９２を有し、バッテリモジュール４を第一配置状態とは異なる第二配置状態でケース３に収容しようとした場合にケース側干渉部３１とモジュール側干渉部９２とが干渉する。この構成によれば、ケース３に対してバッテリモジュール４を誤って第二配置状態で組み付けようとしても組み付けが不能となるため、バッテリモジュール４の誤組を防止できる。また、接続部材８は第三干渉部８７を有し、接続部材８を所定の端子９５とは異なる他の端子９５に接続しようとした場合にケース側干渉部３１と第三干渉部８７とが干渉する。この構成によれば、ケース３に対して接続部材８を誤って他の端子９５に組み付けようとしても組み付けが不能となるため、接続部材８の誤組を防止できる。
ケース３と、バッテリモジュール４と、接続部材８と、にそれぞれケース側干渉部３１と、モジュール側干渉部９２と、第三干渉部８７と、が設けられることによりバッテリモジュール４及び接続部材８の誤組が防止されるので、別途カバー部材等を設けることにより誤組を防止する従来技術と比較して、バッテリパック１の構成を簡素化し、部品点数を削減できる。これにより、バッテリパック１を軽量化するとともに、ケース３内におけるバッテリパック１の占める割合を向上し、ケース３内の空間を有効に使うことができる。
したがって、小型かつ簡素な構成によりバッテリモジュール４及び接続部材８の誤組を確実に防止できるバッテリパック１を提供できる。
【００５２】
バッテリモジュール４は、ケース３の底壁３７とバッテリモジュール本体７０との間に設けられるロアプレート７８を有するので、例えばロアプレート７８を介してケース３の底壁３７にバッテリモジュール４を固定することができる。また、モジュール側干渉部９２はこのロアプレート７８の面方向に沿って形成されるので、ロアプレート７８がバッテリモジュール４の固定とモジュール側干渉部９２との２つの役割を兼ねることができる。よって、バッテリモジュール４の部品点数を削減できる。また、バッテリモジュール４は、ケース３の底壁３７とバッテリモジュール本体７０との間に設けられるので、モジュール側干渉部９２をケース３の底壁３７に近接して配置できる。したがって、ケース３の開口３０側に空間を確保し、この空間に接続部材８等の部品を配置することができる。よって、ケース３内の空間を有効に使用し、ケース３内におけるバッテリパック１の占める割合を向上できる。
【００５３】
モジュール側干渉部９２は、ロアプレート７８の第一方向Ｄ１における両端部に設けられるとともに、第二方向Ｄ２においてロアプレート７８の中間部からずれた位置に配置されているので、例えばバッテリパック１を第一配置状態から平面視で１８０°反転させた状態（第二配置状態）で配置しようとすると、ケース３に対するモジュール側干渉部９２の位置が変化する。この構成によれば、ケース３に対してバッテリパック１を第二配置状態で配置するのを確実に防止できる。よって、簡素な構成によりバッテリモジュール４の誤組を確実に防止したバッテリパック１とすることができる。
【００５４】
ケース側干渉部３１はバッテリモジュール４の第一方向Ｄ１における一方側に設けられ、接続部材８はバッテリモジュール４の第一方向Ｄ１における他方側に配置されているので、例えば接続部材８をバッテリモジュール４の第一方向Ｄ１における一方側に誤って配置しようとした場合、接続部材８の第三干渉部８７とケース側干渉部３１とが干渉する。これにより、接続部材８の組み付けが不能となるので、接続部材８の誤組を確実に防止できる。
【００５５】
接続部材８は、本体部８６と第三干渉部８７とを有し、本体部８６は端子台９０に対してケース３の開口３０側に配置されているので、端子台９０に対する開口３０側の空間を有効に使用し、バッテリパック１が第一方向Ｄ１及び第二方向Ｄ２に大型化するのを抑制できる。また、第三干渉部８７は本体部８６からケース３側に向かって突出し、ケース側干渉部３１はケース３の内壁から突出しているので、接続部材８を誤って配置しようとした場合に、第三干渉部８７とケース側干渉部３１とを確実に干渉させることができる。よって、接続部材８の誤組を確実に防止したバッテリパック１とすることができる。
【００５６】
第三干渉部８７はバスバーカバー８９に設けられているので、例えば接続部材８を誤って配置しようとした場合に、ケース側干渉部３１とバスバー８８とが直接干渉するのを抑制できる。これにより、バスバー８８がケース側干渉部３１に干渉することによるバスバー８８の損傷を抑制できる。よって、バスバー８８の性能低下を抑制し、バッテリパック１の安全性を高く維持できる。
特に、ケース側干渉部３１を有するケース３が金属材料により形成された場合、絶縁材料により形成されたバスバーカバー８９に第三干渉部８７が設けられることにより、ケース側干渉部３１と第三干渉部８７とが干渉した際のケース３と接続部材８との絶縁を確保できる。よって、安全性を向上したバッテリパック１とすることができる。
【００５７】
ケース３は金属ダイキャストで形成されているので、ケース側干渉部３１とケース３とを一体形成できる。よって、バッテリパック１の製造を容易にするとともに部品点数を削減できる。特に、第三干渉部８７が絶縁材料により形成された場合、ケース３のケース側干渉部３１と第三干渉部８７との絶縁を確保しつつ製造を容易にできる。
【００５８】
ケース３の外壁３９にはボルト孔１５が形成されているので、このボルト孔１５に挿入されたボルト１６を介して、例えばハーネス６４等の電装部品６１をケース３の外壁３９に取り付けることができる。さらに、このボルト孔１５を形成する際にケース３の内壁に突出する部分（いわゆる「ボス１４」）をケース側干渉部３１とすることができる。これにより、ケース側干渉部３１とボルト孔１５との機能を統合できる。
【００５９】
なお、本発明の技術範囲は上述した実施形態に限定されるものではなく、本発明の趣旨を逸脱しない範囲において種々の変更を加えることが可能である。
例えば、モジュール側干渉部９２は、ロアプレート７８と別体で形成されてもよい。
ロアプレート７８には、バッテリモジュール４を冷却するための冷却管等が設けられてもよい。第一バッテリパック１のカバー５と第二バッテリパック２における第二のケース２２との間に冷却管等が設けられてもよい。
ケース３の外壁３９に取り付けられる電装部品６１は、例えばコネクタやセンサ等、ハーネス以外の電装部品６１であってもよい。また、例えば緩衝部材や冷却管等、電装部品６１以外の部品が取り付けられもよい。
【００６０】
ケース側干渉部３１の形状は、例えば第三方向Ｄ３から見た平面視において矩形状や楕円形状、多角形状等、断面半円形状以外の形状であってもよい。また、本実施形態では第一ケース側干渉部３２の内部にボルト孔１５が形成される構成について説明したが、第二ケース側干渉部３３、第三ケース側干渉部３４及び第四ケース側干渉部３５の内部にボルト孔１５が形成されてもよい。
ケース側干渉部３１は、ケース３の第一方向Ｄ１における他方側に設けられてもよい。この場合、バッテリモジュール４の第一方向Ｄ１における一方側の端子９５を所定の端子９５とし、第一方向Ｄ１の一方側に接続部材８が取り付けられるのが望ましい。
【００６１】
第三干渉部８７は、バスバー８８と一体で形成されてもよい。但し、ケース３と第三干渉部８７との絶縁を容易に確保できる点において、バスバーカバー８９に第三干渉部８７を設けた本実施形態の構成は優位性がある。
ケース側干渉部３１は、ケース３と別体で形成されてもよい。
【００６２】
本実施形態において第二配置状態は、平面視においてバッテリモジュール４を１８０°反転して配置した状態を指したが、これに限らない。第二配置状態は、正しい配置状態である所定の第一配置状態とは異なる配置状態であれば、バッテリモジュール４のいずれの姿勢を第二配置状態として定義してもよい。すなわち、バッテリモジュール４は、第一配置状態を除くいずれの配置状態においてもケース側干渉部３１とモジュール側干渉部９２とが干渉するように構成してもよい。
本実施形態において、蓄電装置１０は、第一バッテリパック１及び第二バッテリパック２を備えた２層構造とされたが、これに限らない。第二バッテリパック２は無くてもよい。すなわち、蓄電装置１０は、第一バッテリパック１のみを備える１層構造であってもよい。また、３個以上のバッテリパックを備えていてもよい。
【００６３】
その他、本発明の趣旨を逸脱しない範囲で、上述した実施形態における構成要素を周知の構成要素に置き換えることは適宜可能であり、また、上述した実施形態を適宜組み合わせてもよい。
【符号の説明】
【００６４】
１  バッテリパック（第一バッテリパック）
３  ケース
４  バッテリモジュール
５  カバー
８  接続部材
１５  ボルト孔
１６  ボルト
３０  開口
３１  ケース側干渉部（請求項の第一干渉部）
３７  底壁
３９  外壁
６１  電装部品
７０  バッテリモジュール本体
７１  バッテリセル
７８  ロアプレート（請求項の板状部材）
８６  本体部
８７  第三干渉部
８８  バスバー
８９  バスバーカバー
９０  端子台
９２  モジュール側干渉部（請求項の第二干渉部）
９５  端子
Ｄ１  第一方向
Ｄ２  第二方向
【図１】
2020177857.tif 000003
【図２】
2020177857.tif 000004
【図３】
2020177857.tif 000005
【図４】
2020177857.tif 000006
【図５】
2020177857.tif 000007
【図６】
2020177857.tif 000008
【図７】
2020177857.tif 000009
【図８】
2020177857.tif 000010
【図９】
2020177857.tif 000011
【図１０】
2020177857.tif 000012
【図１１】
2020177857.tif 000013
【図１２】
2020177857.tif 000014
【図１３】
2020177857.tif 000015